(57)【特許請求の範囲】
【請求項１】
燃料を燃焼させるバーナと、このバーナの燃焼熱により上水又は浴槽水を加熱する熱交換器と、前記上水の出湯時、又は前記浴槽水の追焚き時に前記バーナを燃焼させる制御手段とを備える給湯機器の遠隔制御装置であって、
前記給湯機器の運転及び制御内容を表示する表示器又は該表示器に併設されるランプと、
前記表示器の表示を解除し又は前記ランプを消灯させる省電力モードの実行を指令し、又は前記省電力モードの実行中にその解除を指令する省電力切替スイッチと、
前記給湯機器の前記制御手段に無線又は有線により接続されて前記給湯機器の制御に用いられ、前記省電力切替スイッチにより前記省電力モードを実行して前記表示器の表示を解除し又は前記ランプを消灯させ、前記省電力モードの実行中、前記省電力切替スイッチの前記指令により、又は前記給湯機器の前記制御手段から送出される、動作開始を表す動作開始フラグ、前記バーナの炎検出を表す炎検出信号、前記給湯機器の水流を表す水流検出信号の何れかの受信により、前記省電力モードを解除し、前記表示器の表示を復帰させ又は前記ランプを点灯させる遠隔制御手段と、
を備えることを特徴とする、給湯機器の遠隔制御装置。
【請求項２】
前記遠隔制御手段に対する制御指令を入力する制御指令スイッチを備え、該制御指令スイッチの操作によって前記省電力モードを解除し、所定時間経過後、前記制御指令スイッチが操作されないとき、前記省電力モードに復帰させることを特徴とする請求項１記載の、給湯機器の遠隔制御装置。
【請求項３】
前記遠隔制御手段の省電力モードへの移行後、前記表示の近傍で前記省電力モードを表す表示素子を備えることを特徴とする請求項１記載の、給湯機器の遠隔制御装置。
【発明の詳細な説明】
【０００１】
【発明の属する技術分野】
本発明は、浴室、台所等に設置される給湯機器の遠隔制御装置に関する。
【０００２】
【従来の技術】
給湯・追焚装置は、浴槽、台所への給湯、浴槽の残湯の再加熱（即ち、追焚）又は洗濯注湯（浴槽内の湯水の再利用を含む）等に使用されている。通常、この種の給湯・追焚装置は、単一の給湯・追焚ユニットと適宜の箇所とを配管で結び、浴室、台所、洗濯室等にリモコン装置を設置し、運転開始、給湯、温度設定等の各種の操作を行うことができる。そして、リモコン装置には、操作に応じた表示や状態表示等の各種の表示する手段として表示装置を備えている。この種の表示装置には、蛍光表示管、ＬＥＤ、液晶表示器等の各種の表示素子が使用されている。液晶表示器等によっては、その表示に背面側から光を当てることにより、表示内容を際立たせる発光手段を設置する場合がある。
【０００３】
【発明が解決しようとする課題】
ところで、表示装置は、運転入力待ち、又は運転停止中においても設定温度、時刻等何らかの表示がある。しかしながら、表示装置が連続的に動作状態にある場合、電力消費が問題となる。例えば、表示装置に使用される蛍光表示管は輝度が高く、湯気による曇りを生じても視認性が高く、浴室等に設置される表示装置に適する。しかし、蛍光表示管は、カソードからアノードに放出される熱電子を制御して蛍光表示を行うため、加熱によって熱電子を放出させるカソードを常時加熱する必要があり、このカソードを加熱するための電力消費が無視できない。ＣＯ2 の発生もある。
【０００４】
このような電力消費を抑制するには、その表示を使用者が選択的に停止するようにすればよいが、制御手段側の制御動作を無視して表示を解除してしまうことは、表示装置が無意味になり、告知すべき重要な表示や安全性の面から問題がある。
【０００５】
そこで、本発明は、動作上の省電力化を図った給湯機器の遠隔制御装置を提供することを課題とする。
【０００６】
【課題を解決するための手段】
本発明の給湯機器の遠隔制御装置は、燃料を燃焼させるバーナと、このバーナの燃焼熱により上水又は浴槽水を加熱する熱交換器と、前記上水の出湯時、又は前記浴槽水の追焚き時に前記バーナを燃焼させる制御手段とを備える給湯機器の遠隔制御装置であって、前記給湯機器の運転及び制御内容を表示する表示器又は該表示器に併設されるランプと、前記表示器の表示を解除し又は前記ランプを消灯させる省電力モードの実行を指令し、又は前記省電力モードの実行中にその解除を指令する省電力切替スイッチと、前記給湯機器の前記制御手段に無線又は有線により接続されて前記給湯機器の制御に用いられ、前記省電力切替スイッチにより前記省電力モードを実行して前記表示器の表示を解除し又は前記ランプを消灯させ、前記省電力モードの実行中、前記省電力切替スイッチの前記指令により、又は前記給湯機器の前記制御手段から送出される、動作開始を表す動作開始フラグ、前記バーナの炎検出を表す炎検出信号、前記給湯機器の水流を表す水流検出信号の何れかの受信により、前記省電力モードを解除し、前記表示器の表示を復帰させ又は前記ランプを点灯させる遠隔制御手段とを備えることを特徴とする。即ち、このような構成としたことから、表示モードと省電力モードを設定し、表示モードでは、制御指令スイッチの入力により表示制御出力等の各種の制御出力を発生するとともに、表示素子を点灯状態に制御して前記表示素子に必要な表示を行わせる。そして、省電力モードへの移行により表示素子の動作を解除して消灯状態に制御すれば、給湯機器の省電力化を図ることができる。
【０００７】
この給湯機器の遠隔制御装置において、省電力モードの実行又はその解除を指令する省電力切替スイッチ（省電力モード指令スイッチＳ４）を備えることにより、この制御を可能にしている。
【０００８】
この給湯機器の遠隔制御装置において、前記給湯機器から送出される制御情報は、給湯機器からの動作開始フラグ、炎検出信号、水流検出信号の何れかにより選択される。即ち、制御情報は、給湯機器からの動作開始フラグ、炎検出信号、水流検出信号の何れかの選択によって得られる。
【０００９】
本発明の給湯機器の遠隔制御装置において、前記遠隔制御手段に対する制御指令を入力する制御指令スイッチを備え、該制御指令スイッチの操作によって前記省電力モードを解除し、所定時間経過後、前記制御指令スイッチが操作されないとき、前記省電力モードに復帰させることを特徴とする。即ち、このように構成したことにより、省電力モードに優先して必要な表示を行い、所定時間経過後、制御指令スイッチが操作されないとき、省電力モードに復帰させ、使用者の便宜を図っている。
【００１０】
本発明の給湯機器の遠隔制御装置において、前記遠隔制御手段の省電力モードへの移行後、前記表示の近傍で前記省電力モードを表す表示素子（省電力モード表示素子１３５）を備えることを特徴とする。即ち、その点灯表示で省電力モードであることを容易に確認することができる。
【００１１】
【発明の実施の形態】
以下、本発明の実施の形態を図面に示した実施例を参照して詳細に説明する。
【００１２】
図１には、本発明の給湯機器の遠隔制御装置の一実施形態である給湯・追焚装置が示されている。
【００１３】
給湯機器としての給湯・追焚ユニット２には、遠隔制御手段として浴室リモコン装置４、台所リモコン装置６及び洗濯注湯リモコン装置８が連携されている。給湯・追焚ユニット２は家屋の外壁等の屋外に設置され、浴室リモコン装置４は浴室、台所リモコン装置６は台所、洗濯注湯リモコン装置８は洗濯室等に設置されている。
【００１４】
給湯・追焚ユニット２には、ガス供給口１０、給水口１２、給湯口１４、洗濯注湯口１６、浴槽接続口１８、２０が設けられている。ガス供給口１０には、燃料ガスＧ、給水口１２には上水Ｗがそれぞれ供給される。給湯口１４から得られる上水側の湯水ＨＷは台所、浴室等に供給される。また、洗濯注湯口１６に得られる湯水は配管を通じて洗濯機２２に供給される。そして、浴槽接続口１８には往き管２４、浴槽接続口２０には戻り管２６を介して浴槽２８の循環口具３０が接続され、給湯・追焚ユニット２と浴槽２８との間に給湯経路、追焚経路が形成されている。
【００１５】
給湯・追焚ユニット２には独立した給湯側燃焼室３２及び追焚側燃焼室３３が設けられ、給湯側燃焼室３２には熱交換器３４、追焚側燃焼室３３には熱交換器３６がそれぞれ設置されている。熱交換器３４側には２つのバーナ３８、４０、熱交換器３６側にはバーナ４２が設置され、燃料ガスＧが管路４４を通して供給される。この管路４４の途上には、バーナ３８、４０側に燃焼ガスＧの供給、遮断をする燃料元弁４６、燃料の供給を連続的に制御する比例弁４８、燃料ガス量を切り換える切換弁５０、５１が設置されているとともに、バーナ４２側に燃料の供給、遮断をする追焚元弁５２が設置されている。バーナ３８の火口附近には放電により燃料ガスＧに点火するイグナイタ５３、バーナ３８の燃焼を検出するフレームロッド５５が設置され、同様にバーナ４２の火口附近には放電により燃料ガスＧに点火するイグナイタ５７、バーナ４２の燃焼を検出するフレームロッド５９が設置されている。そして、燃焼室３２にはバーナ３８、４０側に燃焼用空気を供給するファンモータ５４、バーナ４２側に同様のファンモータ５６が個別に設置されているとともに、これらに対応して排気口５８、６０が設けられている。
【００１６】
給水口１２に供給された上水Ｗは、管路６１を通して熱交換器３４に供給されて加熱された後、管路６３を通して給湯口１４から外部に供給される。熱交換器３４への給水量は、給水量センサ６２を通して電気的に検出される。熱交換器３４の入水側の温度は給水温センサ６４で検出され、熱交換器３４の出湯側の温度は出湯温センサ６６で検出される。管路６１、６３の中途部には分岐管６８、７０が設けられ、開閉弁７２、７４を介してホッパ７６が接続されている。このホッパ７６と熱交換器３６とは、管路７８を通して接続され、熱交換器３６とポンプ８０とは管路８２を通して接続されている。管路７８には浴槽等への通水量を検出する水量センサ８４、切換弁８６がそれぞれ設けられ、切換弁８６には管路８８が接続され、この管路８８には切換弁９０が設けられ、この切換弁９０と洗濯注湯口１６との間には管路９２、切換弁９０と浴槽接続口１８との間には管路９４が接続されている。ポンプ８０と浴槽接続口２０との間には管路９６が接続され、この管路９６には流水を検出するための流水スイッチ９８が接続され、管路９６を通過する湯水の温度を検出する手段として温度センサ１００が設けられている。
【００１７】
そして、給湯・追焚ユニット２には、給湯、追焚、洗濯注湯等に必要な燃焼、給水等、給湯制御手段として制御部１０２が設けられており、この制御部１０２には信号線１０４を通して浴室リモコン装置４、台所リモコン装置６及び洗濯注湯リモコン装置８が連携されている。
【００１８】
次に、図２及び図３は、制御部１０２、浴室リモコン装置４、台所リモコン装置６及び洗濯注湯リモコン装置８の具体的な構成例を示している。
【００１９】
制御部１０２は、ＣＰＵ等の演算処理装置、ＲＡＭ、ＲＯＭ等の記憶素子、入出力インターフェイス、Ａ／Ｄ変換器等を含んで構成される制御演算部１０６を備えるとともに、入力回路１０８、駆動回路１１０、送受信回路１１２、電源回路１１４等を備えている。入力回路１０８には、センサ１１６から検出信号が入力される。このセンサ１１６は、フレームロッド５５、５９、給水量センサ６２、給水温センサ６４、出湯温センサ６６、水量センサ８４、流水スイッチ９８、温度センサ１００等の各種のセンサを総称したものである。また、駆動回路１１０にはアクチュエータ１１８が接続されており、アクチュエータ１１８は駆動回路１１０からの駆動出力によって駆動される。ここで、アクチュエータ１１８は、燃料元弁４６、比例弁４８、切換弁５０、５１、追焚元弁５２、開閉弁７２、７４、切換弁８６、９０等における駆動部である。また、駆動回路１１０からの駆動出力は、ファンモータ５４、５６、ポンプ８０等に加えられる。
【００２０】
送受信回路１１２は、浴室リモコン装置４、台所リモコン装置６、洗濯注湯リモコン装置８との信号の授受を行う手段であって、信号伝達媒体として有線、電波、光、超音波等を使用する。この実施形態では、有線によって信号の授受を行っており、電源回路１１４は、制御部１０２への給電を行うとともに、信号線１０４を通して浴室リモコン装置４、台所リモコン装置６、洗濯注湯リモコン装置８に給電を行う。即ち、信号線１０４には、電源回路１１４からの直流出力と制御演算部１０６からの制御情報であるディジタル信号が重畳されて伝送され、浴室リモコン装置４、台所リモコン装置６、洗濯注湯リモコン装置８からの制御情報であるディジタル信号が伝達される。そこで、送受信回路１１２は、必要な制御情報等を直流電圧と分離して送受する。
【００２１】
浴室リモコン装置４は、他の台所リモコン装置６及び洗濯注湯リモコン装置８に対して主たるリモコン装置を構成している。この浴室リモコン装置４は、マイクロコンピュータで構成された制御演算部１２０を備え、この制御演算部１２０には送受信回路１２２、入力回路１２４を介してスイッチ１２６、音声出力回路１２８を介して発声器１３０、表示出力回路１３２を介して表示器１３４が連携されている。
【００２２】
スイッチ１２６は、１又は２以上の制御スイッチ及び省電力モード指令スイッチ等で構成されており、具体的には、図３に示すように、自動モードスイッチＳ１、追焚モードスイッチＳ２、運転スイッチＳ３、省電力モード指令スイッチＳ４、給湯スイッチＳ５、呼出しスイッチＳ６等を備えている。自動モードスイッチＳ１は給湯及び追焚の自動的開始及び停止を指令するためのスイッチである。自動モードスイッチＳ１が操作されると、浴槽２の設定水位までの湯張り、設定温度への追焚、一定時間ごとの追焚保温を行う運転動作を命令するものである。追焚モードスイッチＳ２が操作されると、浴槽２内の湯水の温度を設定温度まで追焚加熱が行われる。
【００２３】
追焚モードスイッチＳ２は追焚モードの開始及びその停止を指令するためのスイッチ、運転スイッチＳ３は給湯・追焚の運転開始及びその停止を指令するスイッチ、省電力モード指令スイッチＳ４は表示器１３４、１５２、１７０の全表示を停止させ、省電力モードの開始又はその停止を指令するモード設定スイッチである。
【００２４】
給湯スイッチＳ５は浴槽２に対し所定量の湯水を供給する動作スイッチであって、例えば、蛇口を開くことにより生じる流水が検知されたことにより給湯動作をさせる。呼出しスイッチＳ６は入浴者が浴室外に合図を送るため設けられており、浴室から台所リモコン装置６、洗濯注湯リモコン装置８を通じて呼出し音を発音又はその停止を指令するスイッチである。
【００２５】
発声器１３０は、入力情報や制御状態を音声によって出力する手段であり、制御演算部１２０の制御出力に応じて音声出力回路１２８からの音声情報を音声として出力する。
【００２６】
また、表示器１３４は、カソード１３６を有する蛍光表示管等の表示素子で構成され、制御演算部１２０の表示制御出力により表示出力回路１３２から出力される表示駆動出力で文字表示を行う。そして、表示器１３４には遮断回路１３８を介して電源回路１４０が接続されており、遮断回路１３８はスイッチで構成され、制御演算部１２０からの遮断制御出力により表示器１３４に対する電源回路１４０からの給電又はその遮断を行う。
【００２７】
この表示器１３４とは別に、ＬＥＤ等の発光素子で構成される省電力モード表示器１３５及び優先モード表示器１３７が設置される（図３）。省電力モード表示器１３５は、省電力モード指令スイッチＳ４から省電力モード指令が入力されたとき、点灯して省電力モードを表示する。
【００２８】
台所リモコン装置６は、マイクロコンピュータで構成された制御演算部１４２を備え、この制御演算部１４２には送受信回路１４４、入力回路１４６を介してスイッチ１４８、表示出力回路１５０を介して表示器１５２が連携されている。スイッチ１４８は、１又は２以上の制御スイッチ等で構成されており、具体的には、図３に示すように、運転スイッチＳ７、自動モードスイッチＳ８、温度上昇スイッチＳ９、温度下降スイッチＳ１０を備えている。運転スイッチＳ７は給湯・追焚の運転開始及びその停止を指令するスイッチ、自動モードスイッチＳ８は給湯及び追焚の自動的開始及び停止を指令するためのスイッチ、温度上昇スイッチＳ９及び温度下降スイッチＳ１０は設定温度の上昇又は下降を指令するスイッチである。
【００２９】
表示器１５２は、背面照射を行うランプ１５４を備えた液晶表示器等の表示素子で構成され、制御演算部１４２の表示制御出力により表示出力回路１５０から出力される表示駆動出力で文字表示を行う。そして、表示器１５２には遮断回路１５６を介して電源回路１５８が接続されており、遮断回路１５６はスイッチで構成され、制御演算部１４２からの遮断制御出力により表示器１５２に対する電源回路１５８からの給電又はその遮断を行う。
【００３０】
洗濯注湯リモコン装置８は、マイクロコンピュータで構成された制御演算部１６０を備え、この制御演算部１６０には送受信回路１６２、入力回路１６４を介してスイッチ１６６、表示出力回路１６８を介して表示器１７０が連携されている。スイッチ１６６は１又は２以上の制御スイッチ等で構成され、具体的には、図３に示すように、運転スイッチＳ１１、自動モードスイッチＳ１２、温度上昇スイッチＳ１３、温度下降スイッチＳ１４を備えている。運転スイッチＳ１１は洗濯注湯の運転開始及びその停止を指令するスイッチ、自動モードスイッチＳ１２は洗濯注湯の自動的開始及び停止を指令するためのスイッチ、温度上昇スイッチＳ１３及び温度下降スイッチＳ１４は設定温度の上昇又は下降を指令するスイッチである。
【００３１】
表示器１７０は、ＬＣＤ表示器やＬＥＤ等の表示素子で構成され、制御演算部１６０の表示制御出力により表示出力回路１６８から出力される表示駆動出力で文字表示を行う。そして、表示器１７０には遮断回路１７２を介して電源回路１７４が接続されており、遮断回路１７２はスイッチで構成され、制御演算部１６０からの遮断制御出力により表示器１７０に対する電源回路１７４からの給電又はその遮断を行う。
【００３２】
そして、浴室リモコン装置４、台所リモコン装置６及び洗濯注湯リモコン装置８の前面パネルには、上部側に表示及びその下側にスイッチ１２６、１４８、１６６が設置されている。浴室リモコン装置４は、前面パネル１８０に前後に開閉する開閉パネル１８２が設けられており、この開閉パネル１８２の内側パネル面には図示しない複数の制御スイッチが設けられている。開閉パネル１８２の内側パネル面には、温度変更スイッチ、浴槽の水量（水位）の変更スイッチ、時計時刻合わせスイッチ、動作予約スイッチ等の各種設定スイッチの他、動作の優先を変更する優先切換スイッチが備えられている。例えば、給湯温度が優先された場合、優先モード表示器１３７が点灯する。
【００３３】
次に、図４は、浴室リモコン装置４における表示器１３４、遮断回路１３８及び電源回路１４０の具体的な回路構成例を示している。
【００３４】
直流入力端子１８１、１８３には信号線１０４が接続されており、この信号線１０４を通じて制御部１０２の電源回路１１４から一定の直流電圧Ｖｉが加えられている。直流入力端子１８３側は基準電位に接続、即ち、接地されている。この電源回路１４０には、電圧変圧手段としてトランス１８４が設置されており、一次コイルＮ１及び二次コイルＮ２、Ｎ３、Ｎ４を備えている。一次コイルＮ１には、スイッチング素子としてトランジスタ１８６が直列に接続され、トランジスタ１８６の連続的なスイッチングにより直流電圧Ｖｉが断続され、コイルＮ１にはその断続されたパルス電圧が加えられる。
【００３５】
トランジスタ１８６のベース入力側には、トランジスタ１８６をスイッチングさせる手段として発振回路１８８が設置されている。この発振回路１８８は、直流電圧Ｖｉを起動電圧（駆動電圧）とし、トランス１８４の二次コイルＮ２を帰還回路に含んで、トランジスタ１９０、フォトカプラ１９２、ダイオード１９４、コンデンサ１９６、１９８及び抵抗２００、２０２、２０４で構成されている。フォトカプラ１９２は出力側との遮断手段であって、発光ダイオード２０６及び受光トランジスタ２０８で構成され、発光ダイオード２０６は、負荷電流に応じた発光電流により発光し、その発光光量は負荷電流に比例したものとなる。受光トランジスタ２０８には、発光ダイオード２０６の発光を受け、発光光量に応じた受光電流が流れる。この受光電流は、トランジスタ１９０のベース帰還入力となり、トランジスタ１９０のスイッチング出力、即ち、導通期間が制御され、トランジスタ１９０のスイッチングにおける導通期間が制御される。即ち、負荷電流の増減に対応し、その増減を補償するように、トランジスタ１８６のスイッチングにおける導通期間幅が制御される。
【００３６】
一次コイルＮ１に加えられるパルス電圧に応じて二次コイルＮ２には交流出力が得られ、その電圧値は一次コイルＮ１と二次コイルＮ２との巻数に比例したものとなり、この実施形態では昇圧が行われる。二次コイルＮ３にはダイオード２１０、２１２からなる半波整流回路２１４が設けられており、その整流出力はコンデンサ２１６、２１８によって平滑され、ダイオード２１０のカソード側、即ち、正の電源ライン２２０側には正の出力電圧ＶDDが得られ、ダイオード２１２のアノード側、即ち、負の電源ライン２２２には負の出力電圧が得られる。また、二次コイルＮ３、Ｎ４の各出力タップは共通に接続され、その共通ライン２２４は基準電位より低い負電位に設定されている。
【００３７】
電源ライン２２０と共通ライン２２４には出力電圧ＶDDの電圧変動を検出する検出回路２２６が設置されている。即ち、電源ライン２２０と共通ライン２２４との間には、抵抗２２８を介してツェナーダイオード２３０が接続され、ツェナーダイオード２３０に基準電圧Ｖｆを発生させている。この基準電圧Ｖｆは比較手段であるトランジスタ２３２のエミッタ側に加えられ、トランジスタ２３２のベースには出力電圧ＶDDを抵抗２３４、２３６の分圧比で分圧して得た電圧Ｖｎが加えられ、トランジスタ２３２には電圧Ｖｎと基準電圧Ｖｆとの比較に基づいて電流を引き込む。電源ライン２２０とトランジスタ２３２のコレクタとの間には、抵抗２３８を介してフォトカプラ１９２の発光ダイオード２０６が直列に接続されている。即ち、トランジスタ２３２が電圧Ｖｎと基準電圧Ｖｆとの比較に基づいて引き込む電流が発光ダイオード２０６の発光電流になっている。
【００３８】
そして、表示器１３４として蛍光表示管２４０が設置されている。この実施形態における蛍光表示管２４０は、説明を容易にするため３桁表示とし、３個のアノードで示したが、実際には３桁以上の表示桁を備え、各桁の表示は８個のアノードが設置される。各アノード及びグリッドには、表示出力回路１３２の一部を成すスイッチＳＡ１、ＳＡ２・・・、ＳＧ１、ＳＧ２・・・を以て電源電圧ＶDDが選択的に加えられる。各スイッチＳＡ１、ＳＡ２・・・、ＳＧ１、ＳＧ２・・・は、トランジスタ等のスイッチング素子、リレー接点で構成される。即ち、各スイッチＳＡ１、ＳＡ２・・・、ＳＧ１、ＳＧ２・・・は、個別に抵抗Ｒを介して電源ライン２２０、２２２間に接続されている。そして、発熱により熱電子を発生させるためのフィラメントと一体に構成されるカソード１３６には、遮断回路１３８を介して二次コイルＮ４から交流出力が加えられている。遮断回路１３８は、演算制御部１２０のスイッチング出力によって開閉されるリレー接点２４１、２４２で構成されている。
【００３９】
このような構成によれば、制御演算部１２０により表示データ出力が出力されると、表示出力回路１３２を通してスイッチＳＧ１、ＳＧ２・・・又はスイッチＳＡ１、ＳＡ２・・・が選択的に開閉されることにより、蛍光表示管２４０にアノード電圧及びグリッド電圧が選択的に印加される結果、必要な表示が行われる。例えば、スイッチＳＡ１、ＳＧ１が同時に閉じられると、スイッチＳＡ１、ＳＧ１により選択されたアノード及びグリッドに正電圧が印加され、スイッチＳＧ１によって選択されたグリッドに対応するアノードが発光して表示が行われる。
【００４０】
そして、遮断回路１３８のリレー接点２４１、２４２が閉じている場合にカソード１３６が通電され、リレー接点２４１、２４２が開いている場合にはその通電が解除され、表示解除が行われる。この表示制御は、省電力モード指令スイッチＳ４の開閉に応じて行われる。
【００４１】
なお、図４では浴室リモコン装置４における表示器１３４、遮断回路１３８及び電源回路１４０の具体的な回路構成例について示したが、台所リモコン装置６の表示器１５２及び遮断回路１５６、洗濯注湯リモコン装置８の表示器１７０及び遮断回路１７２も同様に構成することができる。
【００４２】
次に、給湯、追焚に伴う表示動作について説明する。
【００４３】
運転スイッチＳ３の操作で運転待機状態となっている場合、浴室リモコン装置４の表示器１３４には、給湯設定温度、動作状態、その他の制御情報が表示され、運転スイッチＳ３の操作で運転停止状態となっている場合、浴室リモコン装置４の表示器１３４に時刻等が表示される。この状態で、省電力モード指令スイッチＳ４が操作されると、その入力は送受信回路１２２から制御部１０２に伝達され、表示消灯の指令が浴室リモコン装置４、台所リモコン装置６及び洗濯注湯リモコン装置８に出力され、表示器１３４、１５２、１７０の表示が消灯状態に移行する。
【００４４】
ところで、このように表示が消灯状態に移行している場合（省電力モード時）、制御入力、例えば、自動モードスイッチＳ１が操作されると、そのスイッチ入力を検出した浴室リモコン装置４はスイッチ操作内容を視認できるように表示停止を所定時間だけ表示状態に復帰させ、表示を再開する。
【００４５】
また、給湯スイッチＳ５や追焚モードスイッチＳ２が操作された場合、そのスイッチ入力の検出とともに制御命令を送信し、また、設定温度等の設定データの変更スイッチに関しては、給湯温度を高温に誤変更されるのを防止するため、所定時間内に新たなスイッチ入力を検出したとき、設定変更入力を受け付けて、新たに所定時間だけ表示を持続させる。この結果、スイッチ操作による設定データの誤変更を防止している。
【００４６】
また、制御部１０２が発した給湯、追焚等の動作開始信号を受信した全ての表示手段、表示制御手段としての浴室リモコン装置４、台所リモコン装置６及び洗濯注湯リモコン装置８の制御動作中の表示を行って、出湯温度情報等の告知を行う。
【００４７】
また、動作開始信号に、制御部１０２から送信される給湯、追焚等の制御動作のフラグ情報や、フレームロッド等により検出された炎確認信号、水量センサや流水スイッチ等の水流情報を用いてもよい。
【００４８】
また、表示停止中における設定温度の変更において、安全のため使用者に変更を告知する必要がある。例えば、台所リモコン装置６において設定温度を５５℃以上の高温に変更したときには、浴室リモコン装置４等で音声にて告知させる。また、音声とともに所定時間表示を出力させて使用者に告知してもよい。また、他の遠隔制御装置に音声出力機能を持たせたり、表示を点灯させてもよい。
【００４９】
次に、制御動作を図５に示す動作フローチャートを参照して説明する。
【００５０】
ステップＳ１では、省電力モード指令スイッチＳ４が操作されて、給湯・追焚の表示停止命令が出されているかどうかを判定する。また、浴室リモコン装置４から表示停止命令が送信されてきたかどうかを判定する。表示停止命令があればステップＳ２に移行し、浴室リモコン装置４、台所リモコン装置６及び洗濯注湯リモコン装置８の表示を停止する。また、表示停止命令がなければ、ステップＳ３に移行し、表示出力を継続させる。表示停止状態には、運転スイッチＳ３、Ｓ７、Ｓ１１が操作されてスイッチ入力の検出の受付状態、即ち、運転準備状態にあるとき、省電力モード指令スイッチＳ４の入力がある場合に移行する。
【００５１】
ステップＳ４では、ステップＳ１において省電力モード指令スイッチＳ４の入力があったときに、浴室リモコン装置４は送受信回路１２２より各遠隔制御装置に対して表示停止命令を送信する。受信した台所リモコン装置６及び洗濯注湯リモコン装置８は表示を停止する。
【００５２】
ステップＳ５では、表示停止状態においてスイッチ入力が検出されたかどうかを判定する。スイッチ入力を検出した場合、ステップＳ６に移行し、スイッチ入力を検出していない場合にはステップＳ１２に移行する。
【００５３】
ステップＳ６では、スイッチ入力が設定温度スイッチ、予約時間スイッチ、水位変更スイッチ等の設定条件の変更スイッチか、又は自動モードスイッチＳ１、追焚モードスイッチＳ２、給湯スイッチＳ５、呼出しスイッチＳ６等の動作命令スイッチであるかどうかを判定する。動作命令スイッチが入力されていない場合、設定条件変更スイッチとしてステップＳ７に移行する。また、動作命令スイッチであればステップＳ９に移行する。
【００５４】
ステップＳ７では、設定条件の変更スイッチの入力として、設定変更を確認できるように所定時間だけ表示を出力させる。ステップＳ８において、ステップＳ７の表示時間内に新たな設定条件変更スイッチの入力があれば、設定条件の変更を受け付けて制御部１０２及び浴室リモコン装置４、台所リモコン装置６及び洗濯注湯リモコン装置８に送信し、かつスイッチ入力から設定変更を視認できる時間表示を出力する。
【００５５】
ステップＳ９では、自動運転、追焚運転、給湯運転等の動作命令を制御部１０２、浴室リモコン装置４、台所リモコン装置６及び洗濯注湯リモコン装置８に送信する。そして、動作命令の送信を確認するため、動作命令を送信した浴室リモコン装置４、台所リモコン装置６又は洗濯注湯リモコン装置８のみが表示を所定時間出力する。
【００５６】
ステップＳ１０では、制御部１０２からの動作開始のフラグ、炎検出信号、水流検出信号等の動作開始信号を受信したかどうかを判定する。動作開始信号を受信した場合にはステップＳ１１に移行し、受信していない場合にはステップＳ１、Ｓ２に移行して表示を停止させる。
【００５７】
ステップＳ１１では、給湯装置の燃焼動作等の動作開始信号を受信した全ての浴室リモコン装置４、台所リモコン装置６又は洗濯注湯リモコン装置８が動作終了信号を受信するまで表示を出力する。そして、動作終了信号を受信してから所定時間後に表示を停止してもよい。
【００５８】
ステップＳ５でスイッチ入力が検出されなかったときは、ステップＳ１２において制御部１０２から動作開始信号が送信されてきたかどうかを判定する。これは動作命令が送信されて制御部１０２が燃焼制御等を開始したかどうかを判定するものである。また、運転準備状態において、浴室、台所等の蛇口を開き、この水流発生により給湯燃焼を開始したかどうかを判定する。給湯燃焼を開始した場合であれば、ステップＳ１３に移行し、給湯装置の燃焼動作等の動作開始信号を受信した浴室リモコン装置４、台所リモコン装置６又は洗濯注湯リモコン装置８が、動作終了信号を受信するまで表示を出力する。給湯燃焼を開始してない場合には、ステップＳ１からの処理を再開する。
【００５９】
【発明の効果】
以上説明したように、本発明によれば、次の効果が得られる。
ａ  省電力モードを設定して表示動作を解除することにより消灯状態に制御するので、表示や表示制御による電力消費を低減できるとともに、ＣＯ2 の発生を抑制することができる。
ｂ  省電力モードを表示する省電力モード表示素子を備えたので、省電力モードに移行していることを表示によって容易に知ることができる。
ｃ  省電力モード時、制御指令スイッチが操作されたとき、その操作開始から表示素子を所定時間だけ動作状態とするので、表示素子の駆動時間を削減でき、省電力化を図ることができる。
ｄ  省電力モード時、制御指令スイッチの操作に基づいて発せられる制御指令により、必要な制御動作が完了するまで表示素子を動作状態として動作表示を行うことができるので、動作上の無表示状態を回避できる。
【図面の簡単な説明】
【図１】本発明の給湯機器の遠隔制御装置の実施例である給湯・追焚装置の全体構成を示す図である。
【図２】制御装置の構成を示すブロック図である。
【図３】制御部、浴室リモコン装置、台所リモコン装置及び洗濯注湯リモコン装置の構成を示すブロック図である。
【図４】電源回路及び表示器の構成を示す回路図である。
【図５】給湯・追焚装置における表示及びその解除を示す動作フローチャートである。
【符号の説明】
２  給湯・追焚ユニット（給湯機器）
４  浴室リモコン装置（遠隔制御手段）
６  台所リモコン装置（遠隔制御手段）
８  洗濯注湯リモコン装置（遠隔制御手段）
１０２  制御部（制御手段）
１３４、１５２、１７０  表示器
１３５  省電力モード表示素子
Ｓ４  省電力モード指令スイッチ（省電力スイッチ）
【図１】
0003825286.tif 000002
【図２】
0003825286.tif 000003
【図３】
0003825286.tif 000004
【図４】
0003825286.tif 000005
【図５】
0003825286.tif 000006